(57)【要約】【課題】充電装置の保持部に被充電機器を保持する際の被充電物の姿勢を変更することができる充電装置を提供する。【解決手段】被充電機器を保持する保持部４を有する本体部２と、被充電機器を保持部４に保持した状態で、被充電機器の入力端子に電気的に接続する充電端子６ａと、本体部２を揺動可能に支持するベース部３とを備えており、本体部２およびベース部３は、ベース部３に対する本体部２の傾斜姿勢を所定の範囲内で任意に保持するよう互いに当接する押圧部３３および被押圧部５を各別に備え、当該押圧部３３および被押圧部５が、ベース部３に対する本体部２の傾倒角度が大きいほど互いの押圧力が増大するよう構成してある充電装置。【選択図】図２
2007159293.tif 000002
【特許請求の範囲】
【請求項１】
被充電機器を保持する保持部を有する本体部と、
前記被充電機器を前記保持部に保持した状態で、前記被充電機器の入力端子に電気的に接続する充電端子と、
前記本体部を揺動可能に支持するベース部とを備えており、
前記本体部および前記ベース部は、前記ベース部に対する前記本体部の傾斜姿勢を所定の範囲内で任意に保持するよう互いに当接する押圧部および被押圧部を各別に備え、当該押圧部および被押圧部が、前記ベース部に対する前記本体部の傾倒角度が大きいほど互いの押圧力が増大するよう構成してある充電装置。
【請求項２】
前記被押圧部を、板状弾性部材で構成し、前記押圧部を、前記本体部の傾倒角度が大きいほど前記板状弾性部材に対する突出量が増大する突出片で構成してある請求項１に記載の充電装置。
【請求項３】
前記本体部は、前記ベース部との間に設けた枢支部により支持されており、前記板状弾性部材を前記枢支部の軸心に対して略接線方向に配置すると共に、前記突出片を、前記軸心の周りに形成したカム面とした請求項２に記載の充電装置。
【発明の詳細な説明】
【技術分野】
【０００１】
本発明は、被充電機器を保持する保持部を有する本体部と、前記被充電機器を前記保持部に保持した状態で、前記被充電機器の入力端子に電気的に接続する充電端子と、前記本体部を揺動可能に支持するベース部とを備えた充電装置に関する。
【背景技術】
【０００２】
従来、充電装置として、充電装置の本体部に例えば携帯電話等の被充電機器を保持する保持部を備えるとともに、被充電機器を保持した状態で被充電機器の入力端子に電気的に接続する充電端子を備えた充電装置が知られている（例えば特許文献１）。
この充電装置では、充電装置本体部に保持部としての凹部が一体的に形成してあり、当該凹部に被充電機器を載置することにより、充電端子が被充電機器の入力端子に電気的に接続して充電を行う。
【０００３】
【特許文献１】特開２００５−３１８７３４号公報（［００２２］段落及び図１）。
【発明の開示】
【発明が解決しようとする課題】
【０００４】
従来の充電装置では、本体部に保持部としての凹部が一体的に設けてあるので、凹部の形状によって保持部に保持した状態での被充電機器の姿勢が決まり、充電中の被充電機器の姿勢が制限されていた。このため、例えばテレビ付携帯電話の液晶画面など、充電しつつ被充電機器の画面を見たい場合に見づらい場合があった。
【０００５】
本願は上述の問題点に鑑みてなされたものであり、その目的は充電装置の保持部に被充電機器を保持する際に画面の視認性を高めた充電装置を提供することにある。
【課題を解決するための手段】
【０００６】
本発明の第一特徴構成は、被充電機器を保持する保持部を有する本体部と、前記被充電機器を前記保持部に保持した状態で、前記被充電機器の入力端子に電気的に接続する充電端子と、前記本体部を揺動可能に支持するベース部とを備えており、前記本体部および前記ベース部は、前記ベース部に対する前記本体部の傾斜姿勢を所定の範囲内で任意に保持するよう互いに当接する押圧部および被押圧部を各別に備え、当該押圧部および被押圧部が、前記ベース部に対する前記本体部の傾倒角度が大きいほど互いの押圧力が増大するよう構成してある点にある。
【０００７】
本構成により、本体部およびベース部が、ベース部に対する本体部の傾斜姿勢を所定の範囲内で任意に保持するよう互いに当接する押圧部および被押圧部を各別に備えるので、被充電機器の姿勢を前記任意の姿勢で保持しつつ被充電機器の充電を行うことができる。
また、本体部の姿勢が変化し、揺動中心に対する重心のオフセット量が大きくなるほど本体部は傾倒しやすくなる。しかし、本構成によれば、押圧部および被押圧部が、ベース部に対する前記本体部の傾倒角度が大きいほど互いの押圧力が増大するよう構成してあるので、本体部の傾倒角度が大きくなり揺動中心に対する重心のオフセットが大きくなると押圧力も増大する。この結果、本体部の傾倒角度に関わらず本体部の姿勢を保持することができる。
【０００８】
本発明の第二特徴構成は、前記被押圧部を、板状弾性部材で構成し、前記押圧部を、前記本体部の傾倒角度が大きいほど前記板状弾性部材に対する突出量が増大する突出片で構成してある点にある。
【０００９】
本構成により、被押圧部を板状弾性部材で構成し、押圧部を本体部の傾倒角度が大きいほど板状弾性部材に対する突出量が増大する突出片で構成してあるので、突出片が突出する際の板状弾性部材の弾性力を利用して押圧力を容易に調節することができる。
【００１０】
本発明の第三特徴構成は、前記本体部は、前記ベース部との間に設けた枢支部により支持されており、前記板状弾性部材を前記枢支部の軸心に対して略接線方向に配置すると共に、前記突出片を、前記軸心の周りに形成したカム面とした点にある。
【００１１】
本構成の如く、枢支部の軸心の周りに形成したカム面が、枢支部に対して略接線方向に設けた板状弾性部材に突出することにより、本体部とベース部との相対変位部を利用して傾倒角度が大きいほど押圧力が増大する構成を得ることができる。この結果、簡単な構成で本体部の姿勢保持を行うことができる充電装置を得ることができる。
【発明を実施するための最良の形態】
【００１２】
以下、本発明の実施形態の一例について図面に基づいて説明する。ここでは、本発明を携帯電話Ｋの充電装置１に適用した例を示す。
【００１３】
〔充電装置の概要〕
本発明に係る充電装置１と、被充電機器の一例である携帯電話Ｋとを図１乃至図３に示す。この充電装置１は、その本体部２に携帯電話Ｋを保持する保持部４を有するとともに、携帯電話Ｋを保持した状態で、携帯電話Ｋの入力端子に電気的に接続する充電端子６ａを有する。また、本体部２を揺動可能に支持するベース部３と、ベース部３に対する前記本体部２の位置を前記揺動の範囲内の任意の位置で保持する位置保持機構とを有する。
また、保持部４に携帯電話Ｋを保持するとき、保持部４の側へ突出して携帯電話Ｋに当接して携帯電話Ｋを固定するロック部材７を有する。
さらに、この充電装置１は、携帯電話Ｋを保持部４に保持することによって、保持部４から本体部２の内部空間２ａに引退して、前記充電端子６ａへの通電を開始するスイッチ６ｂを備えている。
【００１４】
図２及び図３に示すように、本体部２は第一カバー部材２１と第二カバー部材２２とを有している。第一カバー部材２１の外表面には、前記携帯電話Ｋを装着する保持部４が設けてある。本体部２の第一カバー部材２１と第二カバー部材２２との間の内部空間２ａには、携帯電話Ｋの入力端子に接触する充電端子６ａの他、前記充電端子６ａに対する通電を入切りするスイッチ６ｂ、前記充電端子６ａに給電する電源端子６ｃ等を設けてある。これらの部材は、前記第一カバー部材２１に固設される回路基板６に取り付けてある。
【００１５】
図２及び３に示すように、第二カバー部材２２の下部をベース部３に所定範囲内で揺動可能に枢支してあり、回路基板６等を設けた第一カバー部材２１が前記第二カバー部材２２にネジを用いて取り付けてある。また、第一カバー部材２１の前記内部空間２ａとは反対の側の表面には保持部４としての保持部材４１が、当該保持部材４１に形成した係合爪４１ａ，４１ｂ，４１ｃ，４１ｄを第一カバー部材２１に設けた被係合部２１ｃ，２１ｄ，２１ｅ，２１ｆに係合させて取り付けてある。なお、本体部２のベース部３への枢支構造は上述の構成に限るものではなく、第一カバー部材２１をベース部３に枢支する構造であってもよい。また、保持部材４１の第一カバー部材２１への取り付け構造は上述の構成に限るものではなく、例えばネジによる取り付け等その他の構成であってもよい。さらに、保持部４は本体部２と一体的に設けたものであってもよい。
【００１６】
〔通電機構〕
図１及び図３に示すように、本発明の充電装置１は、携帯電話Ｋを保持したときのみ充電端子６ａに通電するスイッチ６ｂを備えている。当該スイッチ６ｂとしては、例えば周知のマイクロスイッチ等を用いることができる。当該スイッチ６ｂは、本体部２の内部空間２ａの側に引退して前記充電端子６ａに通電する引退姿勢と、保持部４の側に通電を遮断する解放姿勢とに切替可能である。このスイッチ６ｂは、例えば、第一カバー部材２１に取付けた回路基板６に設置する。この回路基板６は、前記電源端子６ｃからの給電を受け、前記スイッチ６ｂの操作により前記充電端子６ａに通電する電源回路等を設けてある。
充電端子６ａは、保持部４に出退可能に屈曲形成してある端子部と、前記回路基板６に接続固定される固定部と、これらの間に設けたコイルバネからなる付勢部とを有して形成してある。
上述の構成により、携帯電話Ｋを装着していないときには充電端子６ａは露出しているが、このときに充電端子６ａへの通電を遮断して、異物が接触して短絡等が生じるのを防止することができる。
【００１７】
〔枢支部付近の詳細〕
図２乃至図４に示すように、第二カバー部材２２の下部には、後述する枢支片３２と突出片３３ａとを挿入する一対の溝部２２ａが設けてある。溝部２２ａの端部は本体部２の内部空間２ａに連通する開口部２２ｃを有している。また、夫々の溝部２２ａの側面のうち枢支片３２の側の側面には、枢支片３２に設けた軸部３２ａが挿入される枢支穴部２２ｂが設けてある。
本体部２の内部空間２ａで前記溝部２２ａの開口部２２ｃの付近には被押圧部５として、略長方形形状を有する一対の板状弾性部材５１が設けてある。夫々の板状弾性部材５１は、その両端の部分を第一カバー部材２１に一体形成した支持部２１ａとネジ穴部２１ｂとで支持されるとともに、第一カバー部材２１と第二カバー部材２２とで狭持してある。さらに、板状弾性部材５１を狭持した状態で、第一カバー部材２１と第二カバー部材２２とがネジを用いて取り付けてある。
【００１８】
板状弾性部材５１としては、例えばバネ用鋼板を用いることができるが、樹脂製部材やゴム製部材等その他のものであってもよい。また、被押圧部５は板状弾性部材５１に限られるものではなく、その他のものであってもよい。
【００１９】
図２乃至図４に示すように、ベース部３には、長手方向に沿って凸部３１が設けてある。凸部３１の夫々の端部よりやや内側に一対の枢支片３２が立設してあり、夫々の枢支片３２には本体部２を揺動可能に支持する軸部３２ａが設けてある。夫々の枢支片３２に設けた軸部３２ａの先端部間の距離は溝部２２ａの枢支穴部２２ｂが設けてある側の側部の間の距離よりもやや小さく設定してあり、枢支片３２が弾性変形して軸部３２ａが枢支穴部２２ｂに挿入されるように構成してある。
【００２０】
また、図３及び図４に示すように、枢支片３２の外側で前記凸部３１の端部の付近には板状弾性部材５１を押圧する押圧部３３としての突出片３３ａを有している。突出片３３ａはカム面を有していて、本体部２のベース部３に対する傾倒角度が大きくなるほど、前記押圧部３３の前記板状弾性部材５１の側への突出量が大きくなるように構成してある。一方、軸部３２ａが設けてある枢支片３２の略接線方向に板状弾性部材５１が配置してあり、本体部２の揺動範囲において、枢支片３２が板状弾性部材５１の側には突出しないように構成してある。また、突出片３３ａが板状弾性部材５１の略中央の部分を押圧するように突出片３３ａと板状弾性部材５１とを配置してある。
さらに、図４に示すように、溝部２２ａの幅は枢支片３２と押圧部３３との間の幅と略同じに構成してあり、ベース部３に対する本体部２の軸心方向の位置ずれを防止することができる。
【００２１】
上述の枢支穴部２２ｂ及び軸部３２ａは、ベース部３に本体部２を枢支する枢支部を構成する。なお、上述の実施形態では突出片３３ａを夫々の枢支片３２の付近に設ける例を示したが、例えば二つの枢支片３２の中間部に突出片３３ａを一つ設ける等上述以外の構造であってもよい。また、軸部３２ａを設けた枢支片３２にカム面を設ける構成であってもよい。また、本体部２とベース部３との枢支構造は本体部２の側に軸部２２ｂを設け、ベース３の側に枢支穴部３２ａを設ける等上述以外の構成であってもよい。
【００２２】
〔位置保持機構〕
本体部２は、軸部３２ａを中心に、ベース部３に対する本体部２の傾倒角度が小さい第一姿勢（図６（ａ）参照）と、ベース部３に対する本体部２の傾倒角度が大きい第二姿勢（図７（ａ）参照）との間で揺動可能である。第一姿勢と第二姿勢との間の揺動範囲の全ての位置において突出片３３ａが開口部２２ｃから板状弾性部材５１の側に突出して、突出片３３ａが板状弾性部材５１を押圧している。このため、ベース部３の側の押圧部３３と、本体部２の側の板状弾性部材５１との間に摩擦力が生じ、ベース部３に対する本体部２の姿勢を第一姿勢と第二姿勢との間の任意の姿勢で保持することができる。
【００２３】
また、図６（ｂ）及び図７（ｂ）に示すように、本体部２が第一姿勢の側から第二姿勢の側に近づくほど、突出片３３ａの板状弾性部材５１の側への突出量が大きくなる。本体部２の姿勢が第一姿勢の側から第二姿勢の側に変化し、揺動中心に対する重心のオフセット量が大きくなるほど本体部２は傾倒しやすくなる。しかし、本体部２が第一姿勢の側から第二姿勢の側に近づくほど、突出片３２ａの板状弾性部材５１の側への突出量が大きくなるように構成することにより、本体部２が第二姿勢の側に近づき揺動中心に対する重心のオフセットが大きくなると、押圧力も増大する。この結果、本体部２のベース部３に対する傾倒角度の大きい第二姿勢の付近でも確実に姿勢を保持することができる。
【００２４】
被押圧部５としての板状弾性部材５１と、押圧部３３としての突出片３３ａは位置保持機構を構成する。
上述のように、被押圧部５を板状弾性部材５１で構成することにより、板状弾性部材５１の弾性力を利用して押圧力を調節することができる。また、枢支部３２の付近に形成したカム面が、枢支片３２に対して略接線方向に設けた板状弾性部材５１に突出することにより、本体部２とベース部３との相対変位部を利用して傾倒角度が大きいほど押圧力が増大する構成を得ることができる。この結果、簡単な構成で本体部２の姿勢保持を行うことができる充電装置１を得ることができる。
【００２５】
本実施形態では、本体部２に被押圧部５が設けてありベース部３に押圧部３３が設けてある例を示したが、押圧部３３と被押圧部５とは本体部２及びベース部３に各別に設けてあればよく、上述の構成に限られるものではない。
【００２６】
上述のように、本発明に係る充電装置１は、ベース部３に対する本体部２の姿勢を第一姿勢と第二姿勢の間の任意の位置で保持できるように構成してある。この結果、例えばテレビ付の携帯電話Ｋでテレビを視聴する場合等、被充電機器を充電しつつ画面を見る場合に、画面が見やすい角度に被充電機器の姿勢を保持しつつ充電を行うことができる。
【産業上の利用可能性】
【００２７】
本発明に係る充電装置は、携帯電話・固定電話の子機・携帯型音響機器・携帯型映像機器等の充電装置として用いることができる。
【図面の簡単な説明】
【００２８】
【図１】本発明に係る充電装置を示す図
【図２】充電装置の分解斜視図
【図３】充電装置の分解斜視図
【図４】枢支部の詳細を示す図示す図
【図５】板状弾性部材の本体への支持状態を示す斜視図
【図６】第一姿勢の充電装置を示す図
【図７】第二姿勢の充電装置を示す図
【図８】板状弾性部材の本体への支持状態を示す断面図
【符号の説明】
【００２９】
１      充電装置
２      本体部
３      ベース部
３３    押圧部
３３ａ  突出片
４      保持部
５      被押圧部
５１    板状弾性部材
６ａ    充電端子
【図１】
2007159293.tif 000003
【図２】
2007159293.tif 000004
【図３】
2007159293.tif 000005
【図４】
2007159293.tif 000006
【図５】
2007159293.tif 000007
【図６】
2007159293.tif 000008
【図７】
2007159293.tif 000009
【図８】
2007159293.tif 000010